(57)【要約】【課題】  本発明は、基本部材および合わせ部材に備えられた切欠部を互いに嵌合させながら枠を組む組立枠に関するものであり、花壇、ディスプレイ用装飾枠等の多目的に使用される。【解決手段】    本発明の基本部材の外形寸法は、横幅が２α＋ｎｌ（ゼロを含まない正整数）、高さがｂ、厚さがａ、ｂ＝４ａである。また、前記基本部材は、その端部からそれぞれ、α−（１／２）ａの位置および上下部から、幅、高さ、および厚さがａの切欠部を備えている。すなわち、前記切欠部は、前記基本部材の端部からそれぞれ、α−（１／２）ａの位置の上下部において、幅、高さ、および厚さがａ×ａ×ａの寸法の立方体で切り欠かれている。合わせ部材は、高さが（１／２）ｂで同じ位置に同じ大きさの切欠部を有する。前記基本部材および合わせ部材は、それぞれ前記切欠部を嵌合させることにより、組立枠が構成される。【選択図】    図１
2005176655.tif 000002
【特許請求の範囲】
【請求項１】
横幅が２α＋ｎｌ（ゼロを含まない正整数）、高さがｂ、厚さがａ、ｂ＝４ａ
であり、端部のそれぞれから、α−（１／２）ａの位置および上下部から、幅、高さ、および厚さがａの切欠部を備えた基本部材と、
横幅が２α＋ｎｌ（ゼロを含まない正整数）、高さが（１／２）ｂ、厚さがａ
、ｂ＝４ａであり、端部のそれぞれから、α−（１／２）ａの位置で、上部または下部の一方から、幅、高さ、および厚さがａの切欠部を備えた合わせ部材と、  から構成され、
前記基本部材および合わせ部材における切欠部を互いに嵌合させることにより、高さおよび／または横幅方向に組み立てられていることを特徴とする組立枠。
【請求項２】
横幅が２α＋ｎｌ（ゼロを含まない正整数）、高さがｂ、厚さがａ、ｂ＝４ａ
であり、端部のそれぞれから、α−（１／２）ａの位置および上下部から、幅、高さ、および厚さがａの切欠部を備えた基本部材と、
横幅が２α＋ｎｌ（ゼロを含まない正整数）、高さが（１／２）ｂ、厚さがａ
、ｂ＝４ａであり、端部のそれぞれから、α−（１／２）ａの位置で、上部または下部の一方から、幅、高さ、および厚さがａの切欠部を備えた合わせ部材と、
横幅がｌ、高さが（１／２）ｂ、厚さがａ、ｂ＝４ａであり、一方の端部から
、α−（１／２）ａの位置で、上部または下部の一方から、幅、高さ、および厚さがａの切欠部を備えた補助部材と、
から構成され、
前記基本部材、合わせ部材、および補助部材における切欠部を互いに嵌合させることにより、高さおよび／または横幅方向に組み立てられていることを特徴とする組立枠。
【請求項３】
横幅が２α＋ｎｌ（ゼロを含まない正整数）、高さがｂ、厚さがａ、ｂ＝４ａ
であり、端部のそれぞれから、α−（１／２）ａの位置および上下部から、幅、高さ、および厚さがａの切欠部を備えた基本部材と、
横幅が２α＋ｎｌ（ゼロを含まない正整数）、高さが（１／２）ｂ、厚さがａ
、ｂ＝４ａであり、端部のそれぞれから、α−（１／２）ａの位置で、上部または下部の一方から、幅、高さ、および厚さがａの切欠部を備えた合わせ部材と、
横幅がｌ、高さが（１／２）ｂ、厚さがａ、ｂ＝４ａであり、一方の端部から
、α−（１／２）ａの位置で、上部または下部の一方から、幅、高さ、および厚さがａの切欠部を備えた補助部材と、
高さが（１／２）ｂ、厚さがａ、ｂ＝４ａであり、幅、高さ、および厚さがａの切欠部を備えた駒部材と、
から構成され、
前記基本部材、合わせ部材、補助部材、および駒部材における切欠部を互いに嵌合させることにより、高さおよび／または横幅方向に組み立てられていることを特徴とする組立枠。
【請求項４】
前記基本部材、合わせ部材、補助部材、および駒部材における切欠部に連設されている接続部は、板厚方向にも切り込まれていることを特徴とする請求項１ないし請求項３のいずれか１項に記載された組立枠。
【請求項５】
前記基本部材、合わせ部材、補助部材、および駒部材の長さ方向のエッジ部は、テーパー状に切り欠かれていることを特徴とする請求項１ないし請求項４のいずれか１項に記載された組立枠。
【請求項６】
前記基本部材、合わせ部材、補助部材、および駒部材に設けられた切欠部は、嵌合方向のエッジ部がテーパー状に切り欠かれていることを特徴とする請求項１ないし請求項５のいずれか１項に記載された組立枠。
【請求項７】
前記基本部材には、丸、三角形、四角形、矩形、模様のいずれかからなる形状の開口部を備えていることを特徴とする請求項１ないし請求項６のいずれか１項に記載された組立枠。
【請求項８】
前記基本部材、および合わせ部材は、横幅が２α＋ｎｌ（ゼロを含まない正整
数）の内の、ｎの異なる部材が互いに嵌合され、連続して組み立てられていることを特徴とする請求項１ないし請求項７のいずれか１項に記載された組立枠。
【請求項９】
前記基本部材、合わせ部材、および補助部材は、高さ方向に異なる数を重ねることにより高さの異なる段違いとしたことを特徴とする請求項１ないし請求項８のいずれか１項に記載された組立枠。
【請求項１０】
前記基本部材、合わせ部材、および補助部材を重ねる際に形成されるテーパー溝には、板部材が取り付けられていることを特徴とする請求項１ないし請求項９のいずれか１項に記載された組立枠。
【請求項１１】
前記組立枠の少なくとも一辺には、当該一辺より短い前記基本部材を複数本使用することにより、開口部が形成されることを特徴とする請求項１ないし請求項１０のいずれか１項に記載された組立枠。
【請求項１２】
前記開口部の上部または下部には、Ｈ型部を有する枠部材を嵌合させていることを特徴とする請求項１１に記載された組立枠。
【請求項１３】
前記Ｈ型部を有する枠部材の内部には、装飾品を内蔵させていることを特徴とする請求項１１または請求項１２に記載された組立枠。
【請求項１４】
前記Ｈ型部を有する枠部材には、金網が取り付けられていることを特徴とする請求項１１ないし請求項１３のいずれか１項に記載された組立枠。
【請求項１５】
前記Ｈ型部を有する枠部材の表面には、ガラスが嵌められていることを特徴とする請求項１１ないし請求項１３のいずれか１項に記載された組立枠。
【請求項１６】
前記基本部材、合わせ部材、および補助部材は、切欠部を互いに嵌合させることにより、高さ方向に組み立てられていることを特徴とする請求項１ないし請求項６のいずれか１項に記載された組立枠。
【請求項１７】
前記基本部材、および合わせ部材は、切欠部を互いに嵌合させることにより、斜め方向に組み立てられていることを特徴とする請求項１ないし請求項６のいずれか１項に記載された組立枠。
【請求項１８】
前記各部材は、木材、合成樹脂部材、アルミニウム部材、鉄部材、合金部材のうちのいずれかであることを特徴とする請求項１ないし請求項１７のいずれか１項に記載された組立枠。
【請求項１９】
前記木材は、集成材から構成されていることを特徴とする請求項１ないし請求項１８のいずれか１項に記載された組立枠。
【発明の詳細な説明】
【技術分野】
【０００１】
本発明は、基本部材および合わせ部材に備えられた切欠部を互いに嵌合させながら枠を組む組立枠に関するものである。本発明における組立枠は、花壇、ディスプレイ用装飾枠、仕切箱、仕切材、台、フェンス、組み立て棚、家具等、屋内および屋外用等多目的に使用される。
【背景技術】
【０００２】
従来例における組立式花壇は、たとえば、特開２００３−１１６３４４号公報に示されているように、左右両端部にブラケットが取り付けられた土留めフレームを、連結支柱を介して角度調整自在に連結することができる。前記左右のブラケットは、取付位置が異なる左右の連結パイプを左右の連結枠にそれぞれ固着して形成されている。前記フレームは、簡単な連結操作によって所望の形状の花壇を得ることができる。
【０００３】
また、特開２０００−２０９９４５号公報に示されている組立花壇は、複数の化粧パネルをその面方向に並べて隣接するものどうしを互いに連結分離自在に設け、化粧パネルそれぞれの離面の周部に補強枠を取り付け、化粧パネルにおける他の物と隣接する両側辺部それぞれの補強枠に、化粧パネルの面に沿った方向に互いに嵌合自在な突条部と溝部とを振り分けて、側辺部に沿って形成し、突条部と溝部との嵌合によって連結した隣接する補強枠どうしを分離しないように、両補強枠にわたって嵌合自在な連結部材を設けている。
【０００４】
【特許文献１】特開２００３−１１６３４４号公報
【特許文献２】特開２０００−２０９９４５号公報
【発明の開示】
【発明が解決しようとする課題】
【０００５】
前記特許文献１または特許文献２に記載された発明は、いずれもブラケットあるいは化粧パネル等を用いて、花壇を組み立てることができる。しかし、前記公報に記載された発明は、いずれも、花壇のみにしか使用できない、花壇の大きさや形状を変えるには限度がある、化粧パネル等の特別な材料がいる等の課題が多くあった。
【０００６】
以上のような課題を解決するために、本発明は、組立枠の形状を自由に変更することができるだけでなく、多目的に使用できる組立枠を提供することを目的とする。また、本発明は、特別な材料を使用することなく、廃材や間伐材等を利用することができる組立枠を提供することを目的とする。
【課題を解決するための手段】
【０００７】
（第１発明）
第１発明の組立枠は、横幅が２α＋ｎｌ（ゼロを含まない正整数）、高さがｂ、厚さがａ、ｂ＝４ａであり、端部のそれぞれから、α−（１／２）ａの位置および上下部から、幅、高さ、および厚さがａの切欠部を備えた基本部材と、横幅が２α＋ｎｌ（ゼロを含まない正整数）、高さが（１／２）ｂ、厚さがａ、ｂ＝４ａであり、端部のそれぞれから、α−（１／２）ａの位置で、上部または下部の一方から、幅、高さ、および厚さがａの切欠部を備えた合わせ部材と、から構成され、前記基本部材および合わせ部材における切欠部を互いに嵌合させることにより、高さおよび／または横幅方向に組み立てられていることを特徴とする。
【０００８】
（第２発明）
第２発明の組立枠は、横幅が２α＋ｎｌ（ゼロを含まない正整数）、高さがｂ、厚さがａ、ｂ＝４ａであり、端部のそれぞれから、α−（１／２）ａの位置および上下部から、幅、高さ、および厚さがａの切欠部を備えた基本部材と、横幅が２α＋ｎｌ（ゼロを含まない正整数）、高さが（１／２）ｂ、厚さがａ、ｂ＝４ａであり、端部のそれぞれから、α−（１／２）ａの位置で、上部または下部の一方から、幅、高さ、および厚さがａの切欠部を備えた合わせ部材と、横幅がｌ、高さが（１／２）ｂ、厚さがａ、ｂ＝４ａであり、一方の端部から、α−（１／２）ａの位置で、上部または下部の一方から、幅、高さ、および厚さがａの切欠部を備えた補助部材と、から構成され、前記基本部材、合わせ部材、および補助部材における切欠部を互いに嵌合させることにより、高さおよび／または横幅方向に組み立てられていることを特徴とする。
【０００９】
（第３発明）
第３発明の組立枠は、横幅が２α＋ｎｌ（ゼロを含まない正整数）、高さがｂ、厚さがａ、ｂ＝４ａであり、端部のそれぞれから、α−（１／２）ａの位置および上下部から、幅、高さ、および厚さがａの切欠部を備えた基本部材と、横幅が２α＋ｎｌ（ゼロを含まない正整数）、高さが（１／２）ｂ、厚さがａ、ｂ＝４ａであり、端部のそれぞれから、α−（１／２）ａの位置で、上部または下部の一方から、幅、高さ、および厚さがａの切欠部を備えた合わせ部材と、横幅がｌ、高さが（１／２）ｂ、厚さがａ、ｂ＝４ａであり、一方の端部から、α−（１／２）ａの位置で、上部または下部の一方から、幅、高さ、および厚さがａの切欠部を備えた補助部材と、高さが（１／２）ｂ、厚さがａ、ｂ＝４ａであり、幅、高さ、および厚さがａの切欠部を備えた駒部材と、から構成され、前記基本部材、合わせ部材、補助部材、および駒部材における切欠部を互いに嵌合させることにより、高さおよび／または横幅方向に組み立てられていることを特徴とする。
【００１０】
（第４発明）
第４発明の組立枠において、基本部材、合わせ部材、補助部材、および駒部材における切欠部に連設されている接続部は、板厚方向にも切り込まれていることを特徴とする。
【００１１】
（第５発明）
第５発明の組立枠において、基本部材、合わせ部材、補助部材、および駒部材の長さ方向のエッジ部は、テーパー状に切り欠かれていることを特徴とする。
【００１２】
（第６発明）
第６発明の組立枠において、基本部材、合わせ部材、補助部材、および駒部材に設けられた切欠部は、嵌合方向のエッジ部がテーパー状に切り欠かれていることを特徴とする。
【００１３】
（第７発明）
第７発明の組立枠において、基本部材には、丸、三角形、四角形、矩形、模様のいずれかからなる形状の開口部を備えていることを特徴とする。
【００１４】
（第８発明）
第８発明の組立枠において、基本部材、および合わせ部材は、横幅が２α＋ｎｌ（ゼロを含まない正整数）の内の、ｎの異なる部材が互いに嵌合され、連続し
て組み立てられていることを特徴とする。
【００１５】
（第９発明）
第９発明の組立枠において、基本部材、合わせ部材、および補助部材は、高さ方向に異なる数を重ねることにより高さの異なる段違いとしたことを特徴とする。
【００１６】
（第１０発明）
第１０発明の組立枠において、基本部材、合わせ部材、および補助部材を重ねる際に形成されるテーパー溝には、板部材が取り付けられていることを特徴とする。
【００１７】
（第１１発明）
第１１発明の組立枠において、組立枠の少なくとも一辺には、当該一辺より短い前記基本部材を複数本使用することにより、開口部が形成されることを特徴とする。
【００１８】
（第１２発明）
第１２発明の組立枠において、開口部の上部または下部には、Ｈ型部を有する枠部材を嵌合させていることを特徴とする。
【００１９】
（第１３発明）
第１３発明の組立枠において、Ｈ型部を有する枠部材の内部には、装飾品を内蔵させていることを特徴とする。
【００２０】
（第１４発明）
第１４発明の組立枠において、Ｈ型部を有する枠部材には、金網が取り付けられていることを特徴とする。
【００２１】
（第１５発明）
第１５発明の組立枠において、Ｈ型部を有する枠部材の表面には、ガラスが嵌められていることを特徴とする。
【００２２】
（第１６発明）
第１６発明の組立枠において、基本部材、合わせ部材、および補助部材は、切欠部を互いに嵌合させることにより、高さ方向に組み立てられていることを特徴とする。
【００２３】
（第１７発明）
第１７発明の組立枠において、基本部材、および合わせ部材は、切欠部を互いに嵌合させることにより、斜め方向に組み立てられていることを特徴とする。
【００２４】
（第１８発明）
第１８発明の組立枠において、各部材は、木材、合成樹脂部材、アルミニウム部材、鉄部材、合金部材のうちのいずれかであることを特徴とする。
【００２５】
（第１９発明）
第１９発明の組立枠において、木材は、集成材から構成されていることを特徴とする。
【発明の効果】
【００２６】
本発明によれば、基本部材および合わせ部材をそれぞれの切欠部に嵌合させることにより、最小単位の正方形の組立枠が形成されるだけでなく、組み立て方や基本部材および合わせ部材等の長さを変えることにより、高さ方向および横幅方向の形状を自由に変えることができる。
【００２７】
本発明によれば、基本部材および合わせ部材の長さを任意に選択し、高さおよび／または横幅方向に組み立てることで、正方形を基にした任意の形状にすることができ、花壇、ディスプレイ用装飾枠、仕切箱、仕切材、台、フェンス、組み立て棚、家具等として、屋内および屋外で使用することができる。
【００２８】
本発明によれば、合わせ部材、補助部材、および駒部材によって、切欠部を隠すことができるため、組み立てが自由であるだけでなく、外観の優れたデザインとすることができる。
【００２９】
本発明によれば、基本部材、合わせ部材、補助部材、駒部材のエッジ部にテーパー形状が設けられているため、前記各部材どうしの嵌合が容易にできる。
【００３０】
本発明によれば、基本部材のほぼ中間部に、丸、三角形、四角形、矩形、模様等のいずれかからなる形状の開口部を少なくとも一つ備えることにより、組立枠の内部を覗くことができたり、あるいは花壇等に使用した場合、日光や空気が入り易くなっている。
【００３１】
本発明によれば、基本部材の選択により、組立枠に開口部を設けることができるとともに、前記開口部に装飾品、装飾用電球、造花、その他を載置することができる。また、前記開口部には、和紙、ガラス、あるいは金網等をはめ込むことができ、装飾効果をさらに発揮することができる。
【００３２】
本発明によれば、正方形の基本形を縦方向、縦方向および横方向、斜め方向に任意に接続することで、形状の異なる花壇、棚等に利用できる組立枠が形成される。
【００３３】
本発明によれば、廃材あるいは間伐材を継ぎ足すことにより、温湿度による狂いのない組立枠を提供することができる。さらに、前記組立枠の材質は、木製以外の合成樹脂部材、アルミニウム部材、鉄部材、合金部材を使用することで、組立枠としての特徴を出すことができる。
【発明を実施するための最良の形態】
【００３４】
（第１発明）
第１発明の基本部材の外形寸法は、横幅が２α＋ｎｌ（ゼロを含まない正整数）、高さがｂ、厚さがａ、ｂ＝４ａである。また、前記基本部材は、その端部からそれぞれ、α−（１／２）ａの位置および上下部から、幅、高さ、および厚さがａの切欠部を備えている。すなわち、前記切欠部は、前記基本部材の端部からそれぞれ、α−（１／２）ａの位置の上下部において、幅、高さ、および厚さがａ×ａ×ａの寸法の立方体で切り欠かれている。なお、αおよびｌは、任意の長さであるが、たとえば、（３〜４）α≦ｌ程度が美観的に望ましい。
【００３５】
合わせ部材は、横幅が２α＋ｎｌ（ゼロを含まない正整数）であり、その高さが（１／２）ｂ、厚さがａ、ｂ＝４ａである。また、前記合わせ部材は、その端部からそれぞれ、α−（１／２）ａの位置および上部または下部の一方から、幅、高さ、および厚さがａの切欠部を備えている。
【００３６】
第１発明の組立枠は、一方の２辺において、横幅が２α＋ｌ、高さがｂ、厚さがａの基本部材をそれぞれ対向させ、他方の２辺において、横幅が２α＋ｌ、高さが（１／２）ｂ、厚さがａ、ｂ＝４ａの合わせ部材をそれぞれ対向させて、一方の２辺の下部における切欠部に互いに嵌合させる。その後、前記組立枠は、他方の２辺において、横幅が前記と同じで、高さがｂ、厚さがａの基本部材をそれぞれ対向させ、一方の２辺の切欠部にそれぞれ嵌合させる。
【００３７】
次に、前記組立枠は、一方の２辺において、横幅が前記と同じで、高さがｂ、厚さがａ、ｂ＝４ａの基本部材を２枚対向させて、それぞれを互いの切欠部に嵌合させ、他方の２辺に前記合わせ部材を前記一方の２辺の基本部材にそれぞれの切欠部に嵌合させることにより、最小単位の正方形の組立枠が形成される。
【００３８】
さらに、前記組立枠は、各対向辺に基本部材を交互に積み重ね、最後に合わせ部材によって高さを均一にすることで、最小の正方形で高さが高く形成される。前記組立枠は、横幅方向のｎを増加することにより、最小の正方形の組み立て方に変化をもたせるとともに、全体形状の異なるものとすることができる。
【００３９】
また、前記組立枠は、基本部材および合わせ部材の長さを任意に選択し、高さおよび／または横幅方向に組み立てることで、正方形を基にした任意の形状にすることができる。本発明の組立枠は、花壇、ディスプレイ用装飾枠、仕切箱、仕切材、台、フェンス、組み立て棚、家具等として、屋内および屋外で使用することができる。
【００４０】
（第２発明）
第２発明の組立枠は、前記基本部材と、合わせ部材と、補助部材とから構成されている点で、第１発明と異なっている。前記補助部材は、横幅がｌ、高さが（１／２）ｂ、厚さがａ、ｂ＝４ａであり、一方の端部から、α−（１／２）ａの位置で、上部または下部の一方から、幅、高さ、および厚さがａの切欠部を備えている。
【００４１】
前記補助部材は、一方の端部にのみ切欠部を備えている点で基本部材および合わせ部材と異なっている。前記補助部材は、前記基本部材および合わせ部材を重ねる際に、高さ方向に露出した切欠部を隠すのに都合がよい部材である。
【００４２】
（第３発明）
第３発明は、前記基本部材、合わせ部材、補助部材、および駒部材とから構成されている。前記駒部材は、高さが（１／２）ｂ、厚さがａ、ｂ＝４ａであり、幅、高さ、および厚さがａの切欠部が備えられている。また、前記駒部材は、前記切欠部の両端に幅がαの端部をそれぞれ設けておくことができる。前記駒部材は、高さ方向に露出した切欠部を隠すとともに、端部を設けることにより、組立枠としてのデザインに変化を与えることができる。
【００４３】
（第４発明）
第４発明の組立枠を構成する前記基本部材、合わせ部材、補助部材、および駒部材における切欠部に連設されている接続部は、板厚方向に所定の厚さで少なくとも一方向に切り込まれている。前記接続部における板厚方向の切り込みを設けた場合、前記切欠部の幅方向の長さａは、前記切り込まれただけ狭くなる。
【００４４】
（第５発明）
第５発明の組立枠における前記基本部材、合わせ部材、および補助部材の長さ方向のエッジ部は、テーパー状に切り欠かれているため、互いの嵌合が容易にできる。また、前記切欠部および接続部は、テーパー部を設けた分、厚さおよび幅が薄く形成される。
【００４５】
（第６発明）
第６発明の組立枠における前記基本部材、合わせ部材、補助部材、および駒部材に設けられた切欠部と、前記切欠部に連設された厚さ方向の切欠部は、嵌合方向のエッジ部がテーパー状に切り欠かれているため、互いの嵌合が容易にできる。第５発明および第６発明のテーパー形状は、必ずしも４５度ではなく、嵌合部における凹部と凸部、あるいはやや丸みを持った凹部と凸部等にすることができる。
【００４６】
（第７発明）
第７発明の組立枠における基本部材には、丸、三角形、四角形、矩形、あるいは模様等のいずれかからなる形状の開口部を備えている。前記基本部材を使用した組立枠は、高さが高くなった場合、前記組立枠の内部を覗くことができたり、あるいは花壇等に使用した場合、日光や空気が入り易くなっている。また、前記開口部の形状は、模様、たとえば、花、動物等にすることもできる。
【００４７】
（第８発明）
第８発明の組立枠における基本部材、および合わせ部材は、横幅が２α＋ｎｌ（ゼロを含まない正整数）の内の、ｎの異なる部材が選択される。前記長さの異なる基本部材は、互いに嵌合されて連続して組み立てられると、形の異なる組立枠が作製される。前記形の異なる組立枠は、花壇、ディスプレイ用装飾枠、仕切箱、仕切材、台、フェンス、組み立て棚、家具等に適用した場合、変化に富んだものとすることができるだけでなく、常に新鮮なものに変更することが容易にできる。
【００４８】
（第９発明）
第９発明の組立枠における基本部材、合わせ部材、および補助部材は、高さ方向で、場所によって、異なる数を重ねることにより高さの異なる段違いとした組立枠にすることができる。
【００４９】
（第１０発明）
第１０発明の組立枠における基本部材、合わせ部材、および補助部材がそれぞれの切欠部において、嵌合され、重ねられて、組立枠が構成される。前記基本部材、合わせ部材、および補助部材が重ね合わされる際に形成されるテーパー溝には、板部材が取り付けられている。前記板部材上には、花、商品、その他のものを載置できる棚として使用できる。
【００５０】
（第１１発明）
第１１発明の組立枠は、枠を組み立てる際に、少なくとも一辺に、他辺より短い前記基本部材を複数本使用することにより、開口部が形成される。前記組立枠に設けられた開口部は、商品のディスプレイ等に好都合である。
【００５１】
（第１２発明）
第１２発明の組立枠は、第１１発明において、長さの異なる基本部材によって組み立てた場合に形成される開口部の上部および下部、あるいは左および右の少なくとも１組にＨ型部を有する枠部材を嵌合させている。前記Ｈ型部を有する枠部材は、前記組立枠の窓として装飾上優れた効果を発揮する。
【００５２】
（第１３発明）
第１３発明の組立枠におけるＨ型部を有する枠部材の内部には、装飾品を内蔵させることができる。たとえば、前記装飾品は、装飾用電球、造花、その他の装飾品を載置することができる。
【００５３】
（第１４発明）
第１４発明の組立枠におけるＨ型部を有する枠部材の表面には、金網が取り付けられている。前記金網は、メッシュ状のもの、あるいは開口部の大きさに変化のあるもの、模様が入るもの、あるいはその他の各種形状が考えられる。前記組立枠は、前記金網を通して内部の商品等を見ることができ、装飾効果を向上させることができる。
【００５４】
（第１５発明）
第１５発明の組立枠におけるＨ型部を有する枠部材の表面には、ガラスが嵌められている。前記ガラスは、光が内部に入るとともに、ガラスを通して反射する光の効果も加わり、ディスプレイとして使用した場合、大きな効果を発揮することができる。
【００５５】
（第１６発明）
第１６発明の組立枠は、基本部材、合わせ部材、および補助部材が切欠部の嵌合により、高さ方向に組み立てられている。すなわち、前記組立枠は、高さ方向に形成されているので、たとえば、商品を載置する場合に多くのものをいろいろな態様で飾ることができ、ディスプレイとして最適である。
【００５６】
（第１７発明）
第１７発明の組立枠は、同じ長さの基本部材、および合わせ部材を、切欠部において、互いに嵌合させることにより、斜め方向に組み立てられている。前記組立枠は、基本部材および合わせ部材の高さ方向の長さを短くすると、フェンスとして使用できる。また、前記組立枠は、高さ方向の長さを長めに取ると、第１６発明と異なった趣のディスプレイとなる。
【００５７】
（第１８発明）
第１８発明における組立枠に使用される各部材は、木材、合成樹脂部材、アルミニウム部材、鉄部材、合金部材のうちのいずれかである。前記各部材は、それぞれの材質の特徴を発揮できるので、ディスプレイとして、また、その他の応用においても、効果がある。
【００５８】
（第１９発明）
第１９発明の組立枠は、廃材あるいは間伐材等どうしを接合した集成材から構成されている。前記集成材は、通常捨てられていた材料であるにもかかわらず、組立枠に使用できるだけでなく、温度および湿度により変形することがない。
【実施例１】
【００５９】
図１（イ）ないし（ニ）は本発明の第１実施例である組立枠を構成する基本部材を説明するための図で、（イ）は正面図、（ロ）は上面図、（ハ）は側面図、（ニ）はＡ−Ａ断面図である。図１において、基本部材１１は、主部１１１と、前記主部１１１の両端に連設されている端部１１２、１１２′と、前記主部１１１と端部１１２、１１２′の間で、上下に形成された切欠部１２、１２′と、前記主部１１１と端部１１２、１１２′との間で、前記切欠部１２、１２′を構成していない部分である接続部１１３、１１３′とから構成されている。
【００６０】
前記基本部材１１は、横幅が２α＋ｎｌ（ｎはゼロを含まない正整数、ｎ＝１、２、３、・・・・）、高さがｂ、厚さがａ、ｂ＝４ａであり、端部のそれぞれから、α−（１／２）ａの位置および上下部から、幅、高さ、および厚さがａ＝（１／４）ｂの切欠部１２、１２′を備えている。また、前記基本部材１１は、端部を除いて、テーパー部１３が、たとえば、４５度に切り欠かれている。
【００６１】
たとえば、前記基本部材１１の寸法は、ａ＝３０ｍｍ、４５ｍｍ、６０ｍｍ、ｂ＝１２０ｍｍ、１８０ｍｍ、２４０ｍｍ、ｌ＝３００ｍｍ、４５０ｍｍ、６００ｍｍ、α＝９０ｍｍ、ｂ＝４ａの関係を満足する場合、外観を美しくすることができる。
【００６２】
図２（イ）ないし（ホ）は本発明の組立枠の一部を構成する合わせ部材を説明するための図で、（イ）は正面図、（ロ）は上面図、（ハ）は下面図、（ニ）は側面図、（ホ）はＡ−Ａ断面図である。図２において、合わせ部材２１は、主部２１１と、前記主部２１１の両端に連設されている端部２１２、２１２′と、前記主部２１１と端部２１２、２１２′の間で、たとえば、下部に形成された下部切欠部２２、２２′と、前記主部２１１と端部２１２、２１２′との間で、前記下部切欠部２２、２２′を構成していない部分である上部接続部２３、２３′とから構成されている。
【００６３】
前記合わせ部材２１は、横幅が２α＋ｎｌ（ｎはゼロを含まない正整数、ｎ＝１、２、３、・・・・）、高さが（１／２）ｂ、厚さがａであり、端部のそれぞれから、α−（１／２）ａの位置で、上部または下部の一方から、幅、高さ、および幅がａ＝（１／４）ｂの下部切欠部２２、２２′を備えている。
【００６４】
たとえば、前記合わせ部材２１の寸法は、ａ＝３０ｍｍ、４５ｍｍ、６０ｍｍ、ｂ＝６０ｍｍ、９０ｍｍ、１２０ｍｍ、ｌ＝３００ｍｍ、４５０ｍｍ、６００ｍｍ、α＝９０ｍｍの関係を満足する場合、外観を美しくすることができる。
【００６５】
図３（イ）ないし（ホ）は本発明の組立枠の一部を構成する補助部材を説明するための図で、（イ）は正面図、（ロ）は上面図、（ハ）は下面図、（ニ）は側面図、（ホ）はＡ−Ａ断面図である。図３において、補助部材３１は、補助部３１１と、前記補助部３１１の一端に連設されている補助端部３１２と、前記補助部３１１と補助端部３１２の間で、たとえば、下部に形成された下部切欠部３２と、前記補助部３１１と補助端部３１２の間で、前記下部切欠部３２を構成していない部分である上部接続部３３とから構成されている。
【００６６】
前記補助部材３１は、横幅がｌ、高さが（１／２）ｂ、厚さがａであり、補助端部３１２の端部から、α−（１／２）ａの位置で、上部または下部の一方から、幅および高さがａ＝（１／４）ｂの下部切欠部３２を備えている。各部の具体的寸法は、前記基本部材１１および合わせ部材２１と同じである。
【００６７】
次に、図１ないし図３に示された基本部材１１、合わせ部材２１、および補助部材３１を使用した組立枠について説明する。前記組立枠は、一方の２辺において、横幅が２α＋ｌ、高さがｂ、厚さがａの基本部材１１をそれぞれ対向させ、
他方の２辺において、横幅が２α＋ｌ、高さが（１／２）ｂ、厚さがａの合わせ部材２１をそれぞれ対向させて、一方の２辺の下部における幅、高さ、厚さのそれぞれがａ＝（１／４）ｂである切欠部１２、１２′と下部切欠部２２、２２′とを互いに嵌合させる。
【００６８】
その後、前記組立枠は、他方の２辺において、横幅が前記と同じで、高さがｂ、厚さがａの基本部材１１をそれぞれ対向させ、一方の２辺の切欠部１２、１２′と下部切欠部２２、２２′にそれぞれ嵌合させる。
【００６９】
次に、前記組立枠は、一方の２辺において、横幅が前記と同じで、高さがｂ、厚さがａの基本部材１１を２枚対向させて、それぞれを互いの切欠部１２、１２′に嵌合させ、他方の２辺に前記合わせ部材２１を前記一方の２辺の基本部材１１にそれぞれの切欠部１２、１２′、２２、２２′に嵌合させることにより、最小単位の正方形の組立枠が形成される。
【００７０】
さらに、前記組立枠は、各対向辺に基本部材１１を交互に積み重ね、最後に合わせ部材２１によって、高さを均一にすることで、最小の正方形で高さが高く形成される。前記組立枠は、横幅方向のｎを増加することにより、最小の正方形の組み立て方向に変化をもたせるとともに、横幅方向および高さ方向の形状が異なるものとすることができる。
【００７１】
前記組立枠は、前記基本部材１１および合わせ部材２１のみによって構成された場合、所望の高さおよび形状にならない場合がある。特に、前記所望の高さおよび形状にした場合、その際の組立枠は、上部に切欠部１２、１２′が露出する。補助部材３１は、前記基本部材１１および合わせ部材２１を重ねる際に、高さ方向に露出した切欠部１２、１２′の一方と、基本部材１１および合わせ部材２１の段差とを隠すための部材であり、前述のような寸法関係にある。
【００７２】
図４（イ）ないし（ニ）は本発明の組立枠の一部を構成する駒部材を説明するための図で、（イ）は正面図、（ロ）は側面図、（ハ）は上面図、（ニ）は斜視図である。図４において、駒部材４１の寸法は、幅がａ、高さ（１／２）ｂ、切欠部４１２がａ×ａ×ａである。すなわち、前記駒部材４１は、上部４１１と、切欠部４１２と、覆部４１３とから構成されている。
【００７３】
前記駒部材４１は、前記補助部材３１と同様に、前記基本部材１１および合わせ部材２１を重ねる際に、高さ方向に露出した切欠部１２を隠すための部材であり、前述のような寸法関係にある。
【００７４】
図５は本発明の組立枠の一部を構成する他の駒部材を説明するための斜視図である。図５において、駒部材５１の寸法は、幅がａ、高さ（１／２）ｂ、切欠部５１１がａ×ａ×ａである。すなわち、前記駒部材５１は、切欠部５１１と、端部５１２、５１２′と、接続部５１３とから構成されている。
【００７５】
なお、図１ないし図５において、基本部材１１、合わせ部材２１、補助部材３１、駒部材４１、５１における切欠部１２、１２′、２２、２２′、３２、４１２、５１１を構成するための接続部１１３、２３、３３、４１１、５１３は、厚さを薄くすることができる。前記厚さは、前記切欠部１２、１２′、２２、２２′、３２、４１２、５１１の幅を嵌合し得るように狭くする必要がある。
【００７６】
前記基本部材１１、合わせ部材２１、補助部材３１、駒部材４１、５１は、両端部を除いて角部がテーパー状に加工されており、互いの嵌合を容易にしている。
【実施例２】
【００７７】
図６は第２実施例で、基本部材、合わせ部材、および補助部材を使用した組立花壇を説明するための図である。組立花壇６１は、図６に示されているように、基本部材１１と、合わせ部材２１を隣の辺と交互に変えて組み立てられている。また、前記組立花壇６１は、横幅が２α＋ｌを２辺に、２α＋２ｌを２辺に続け
て接続し、最後に２α＋ｌを２辺に接続して、菱形を構成している。また、補助
部材３１は、２箇所において、使用されることにより、切欠部１２を覆うことができる。
【実施例３】
【００７８】
図７は第３実施例で、基本部材、および合わせ部材を使用した段違い組立花壇を説明するための図である。段違い組立花壇７１は、図７に示されているように、一方の２辺において、高さ方向に３枚の基本部材１１と、他方の２辺において、上下に合わせ部材２１を、その間に基本部材１１を使用している。また、、前記段違い組立花壇７１は、他方の２辺の下部において、１枚の合わせ部材２１とその上に１枚の基本部材１１を組み立てることにより、段違いの枠ができる。
【実施例４】
【００７９】
図８は第４実施例で、基本部材、および合わせ部材を使用した段違い連続組立花壇を説明するための図である。段違い連続組立花壇８１は、図８に示されているように、９個の枠が連続して構成され、一部に段違いの枠ができている。また、第４実施例は、基本部材８１１に開口８１２が形成されている。前記開口８１２は、横から内部を見るため、あるいは光や空気を入れるために都合が良い。
【実施例５】
【００８０】
図９は第５実施例で、基本部材、および合わせ部材を使用した棚付き組立花壇を説明するための図である。棚付き組立花壇９１は、図９に示されているように、基本部材１１と合わせ部材２１の間に形成されるテーパー溝９１１の間に棚板９１２が取り付けられている。前記棚板９１２は、植木や花の鉢を載置するだけでなく、ディスプレイ用の棚にもなる。
【実施例６】
【００８１】
図１０は第６実施例で、基本部材、および合わせ部材を使用した組み立て棚を説明するための図である。組み立て棚１０１は、図１０に示されているように、基本部材１１と合わせ部材２１の一部が棚として使用できるように高さ方向に組み立てられた後、向きを変えている。前記組み立て棚１０１は、商品を載置するディスプレイ用、あるいは家具として使用できる。
【実施例７】
【００８２】
図１１は第７実施例で、基本部材、合わせ部材、および駒部材を使用した組み立て花壇を説明するための図である。組み立て花壇１１１１は、図１１に示されているように、基本部材１１と合わせ部材２１とを使用しているが、一部に切欠部１２が露出するため、駒部材５１によって覆っている。
【実施例８】
【００８３】
図１２は第８実施例で、基本部材、および合わせ部材を使用した連続棚を説明するための図である。連続棚１２０は、図１２に示されているように、基本部材１１と合わせ部材２１（図示されていない）とを使用して、連続的に組み立てられている。前記連続棚１２０は、横方向および／または高さ方向に連続して組み立てられディスプレイ用、あるいは家具として使用できる。
【実施例９】
【００８４】
図１３は第９実施例で、基本部材、および合わせ部材を使用した連続棚を説明するための図である。連続棚１３０は、図１３に示されているように、基本部材１１と合わせ部材２１（図示されていない）とを使用して、連続的で部材が斜めになるように組み立てられている。前記連続棚１３０は、横方向および／または高さ方向に連続して組み立てられディスプレイ用、あるいは家具として使用できる。さらに、第８実施例および第９実施例は、棚以外にフェンスとしても使用することができる。
【実施例１０】
【００８５】
図１４（イ）および（ロ）は第１０実施例で、基本部材、および合わせ部材を使用した仕切箱を説明するための図で、（イ）は上面図、（ロ）は正面図である。仕切箱１４０は、図１４（イ）および（ロ）に示されているように、基本部材１１と合わせ部材２１（図示されていない）とを使用して、各箱が仕切られるように組み立てられている。前記仕切箱１４０は、側部に窓ができるような長さの基本部材によって組み立てられている。
【００８６】
前記仕切箱１４０の前記窓には、たとえば、金網１４０１、開口を有する板１４０２、あるいはガラスまたは和紙等が貼られた板部材１４０３等が嵌合されている。前記金網１４０１、開口を有する板１４０２、あるいはガラスまたは和紙等が貼られた板部材１４０３等は、左右または上下方向にＨ型部材が取り付けられており、前記基本部材１１に嵌合され易くなっている。前記仕切箱１４０は、側部から中が見られるため、各種用途に適用できる。
【００８７】
本発明の基本部材、合わせ部材、補助部材、および駒部材は、木製とすることができる。しかし、木製のものは、年々高価になるため、集成材を使用することが望ましい。前記集成材は、廃材あるいは間伐材が利用でき、高圧水蒸気処理圧縮加工の利用により、木材の無駄を無くし、有効利用が可能であるだけでなく、温度および湿度による変形がなくなる。
【産業上の利用可能性】
【００８８】
以上、本実施例を詳述したが、本発明は、前記本実施例に限定されるものではなく、特許請求の範囲に記載されている事項を逸脱することがなければ、種々の設計変更を行うことが可能である。たとえば、本発明の実施例は、木材を前提にして説明したが、合成樹脂部材、アルミニウム部材、鉄部材、合金部材のうちのいずれかの一つまたは複数を組み合わせることができる。
【００８９】
また、本発明において、形状および寸法の変更は、特許請求の範囲に記載された事項を逸脱しない限り、任意に行うことができる。また、本発明の用途は、使用する者自身が決めるものであり、多方面に渡ることはいうまでもない。
【図面の簡単な説明】
【００９０】
【図１】（イ）ないし（ニ）は本発明の第１実施例である組立枠を構成する基本部材を説明するための図で、（イ）は正面図、（ロ）は上面図、（ハ）は側面図、（ニ）はＡ−Ａ断面図である。（実施例１）
【図２】（イ）ないし（ホ）は本発明の組立枠の一部を構成する合わせ部材を説明するための図で、（イ）は正面図、（ロ）は上面図、（ハ）は下面図、（ニ）は側面図、（ホ）はＡ−Ａ断面図である。
【図３】（イ）ないし（ホ）は本発明の組立枠の一部を構成する補助部材を説明するための図で、（イ）は正面図、（ロ）は上面図、（ハ）は下面図、（ニ）は側面図、（ホ）はＡ−Ａ断面図である。
【図４】（イ）ないし（ニ）は本発明の組立枠の一部を構成する駒部材を説明するための図で、（イ）は正面図、（ロ）は側面図、（ハ）は上面図、（ニ）は斜視図である。
【図５】本発明の組立枠の一部を構成する他の駒部材を説明するための斜視図である。
【図６】第２実施例で、基本部材、合わせ部材、および補助部材を使用した組立花壇を説明するための図である。（第２実施例）
【図７】第３実施例で、基本部材、および合わせ部材を使用した段違い組立花壇を説明するための図である。（第３実施例）
【図８】第４実施例で、基本部材、および合わせ部材を使用した段違い連続組立花壇を説明するための図である。（第４実施例）
【図９】第５実施例で、基本部材、および合わせ部材を使用した棚付き組立花壇を説明するための図である。（第５実施例）
【図１０】第６実施例で、基本部材、および合わせ部材を使用した組み立て棚を説明するための図である。（第６実施例）
【図１１】第７実施例で、基本部材、合わせ部材、および駒部材を使用した組み立て花壇を説明するための図である。（第７実施例）
【図１２】第８実施例で、基本部材、および合わせ部材を使用した連続棚を説明するための図である。（第８実施例）
【図１３】第９実施例で、基本部材、および合わせ部材を使用した連続棚を説明するための図である（第９実施例）。
【図１４】（イ）および（ロ）は第１０実施例で、基本部材、および合わせ部材を使用した仕切箱を説明するための図で、（イ）は上面図、（ロ）は正面図である。（第１０実施例）
【符号の説明】
【００９１】
１１・・・基本部材
１１１・・主部
１１２、１１２′・・・端部
１１３、１１３′・・・接続部
１２、１２′・・・切欠部
１３・・・テーパー部
２１・・・合わせ部材
２１１・・主部
２１２、２１２′・・端部
２２、２２′・・・下部切欠部
２３、２３′・・・上部接続部
２４・・・テーパー部
３１・・・補助部材
３１１・・補助部
３１２・・補助端部
３２・・・下部切欠部
３３・・・上部接続部
３４・・・テーパー部
４１・・・駒部材
４１１・・上部
４１２・・切欠部
４１３・・覆部
５１・・・駒部材
５１１・・切欠部
５１２、５１２′・・・端部
５１３・・・接続部
６１・・・組立花壇
７１・・・段違い組立花壇
８１・・・段違い連続組立花壇
８１１・・開口基本部材
８１２・・開口
９１・・・棚付き組立花壇
９１１・・テーパー溝
９１２・・棚板
１０１・・・組み立て棚
１１１１・・・組み立て花壇
１２０・・・連続棚
１３０・・・連続棚
１４０・・・仕切箱
【図１】
2005176655.tif 000003
【図２】
2005176655.tif 000004
【図３】
2005176655.tif 000005
【図４】
2005176655.tif 000006
【図５】
2005176655.tif 000007
【図６】
2005176655.tif 000008
【図７】
2005176655.tif 000009
【図８】
2005176655.tif 000010
【図９】
2005176655.tif 000011
【図１０】
2005176655.tif 000012
【図１１】
2005176655.tif 000013
【図１２】
2005176655.tif 000014
【図１３】
2005176655.tif 000015
【図１４】
2005176655.tif 000016